(57)【特許請求の範囲】
【請求項１】
公衆トイレにオゾンを含む洗浄水を供給するシステムであって、
前記洗浄水を蓄えるバッファ槽と、
オゾン水を生成するオゾン水発生装置と、
前記洗浄水中のオゾン濃度を測定するオゾン濃度計と、
前記バッファ槽内の前記洗浄水の液面を検知する液面計と、
前記バッファ槽に水を補給する水補給手段と、
前記オゾン濃度計が検出する前記洗浄水のオゾン濃度および前記液面計が検出する前記
洗浄水の液面に基づいて、前記洗浄水のオゾン濃度が設定オゾン濃度以上を維持するように前記オゾン水発生装置の稼働、および前記水補給手段による水の補給を制御するコントローラと、を有し、
前記コントローラは、
前記オゾン濃度計が計測するオゾン濃度が予め設定された管理下限値以下になったら前記オゾン水発生装置を起動させ、前記オゾン濃度が予め設定された管理上限値以上になったら前記オゾン水発生装置を停止させ、前記液面計が予め設定された液下限を検出したら水の補給を開始し、前記液面計が予め設定された液上限を検出したら水の補給を停止するように設定され、
オゾン濃度の前記管理下限値は、前記液下限のときの洗浄水を前記液下限から前記液上限までの補給水で希釈したときに希釈後のオゾン濃度が設定オゾン濃度以上となる値が採用された
ことを特徴とする公衆トイレ洗浄水供給システム。
【発明の詳細な説明】
【技術分野】
【０００１】
本発明は、大規模商業施設、公共施設、スポーツ施設、公園、学校等における複数の便器が同時に使用される公衆トイレの洗浄システムに関する。
【背景技術】
【０００２】
公衆トイレの便器は、不特定多数の人が使用し使用頻度も多いため、汚れが付着し易く汚れ等に起因する悪臭等の発生の問題がある。この付着した汚れ（尿石を含む）および悪臭は、バクテリアによる尿等の分解によりアンモニアが生じ、またこれによりｐＨが高くなってカルシウム等が析出することが原因である。
尿等の分解により生ずるアンモニアによるｐＨの増加を抑制するために、酸性の洗浄水を使用することもなされていたが、この方法では定期的に酸性薬剤の補充を行わなければならず、また酸性水による配管の腐食等の問題もあった。
【０００３】
そこで、定期的な薬剤の補充が不要で配管の腐食も促進され難いオゾン水を洗浄水に用いる、公衆トイレに適用可能なオゾン水給水装置が提案されている（特許文献１）。
【先行技術文献】
【特許文献】
【０００４】
【特許文献１】特開平１０−３３８９５８号公報
【発明の概要】
【発明が解決しようとする課題】
【０００５】
特許文献１に記載されたオゾン水給水装置は、例えばシャワートイレ、手洗器および小便器を給水対象とし、オゾン水はタンク内で生成され溜め込まれたもの、またはオゾンガスがエゼクターから給水管に供給されて溶解されたものが使用される。
ところで、オゾン水の殺菌効果は溶存するオゾン濃度と正の相関を有し、トイレでの殺菌効果を期待するためには、オゾン水のオゾン濃度が一定以上のものを使用するのが好ましい。また、公衆トイレ等では、複数の便器が同時に使用されることにより、多量の洗浄水が短時間に消費される場合が生ずる。
【０００６】
特許文献１に記載のオゾン水給水装置は、このような短時間に多量かつ一定濃度以上のオゾンを含む洗浄水の供給を想定したものではなく、このオゾン水供給装置を、多量のオゾン水が供給可能とするためには、付属するオゾン水生成装置の大型化を要し、設備費の増大、設置場所の制約等の問題が生ずる。
本発明は、上述の問題に鑑みてなされたもので、オゾンを一定濃度以上含む洗浄水を短時間に必要量供給可能な公衆トイレ洗浄水供給システムを提供することを目的とする。
【課題を解決するための手段】
【０００７】
本発明に係る公衆トイレ洗浄水供給システムは、公衆トイレの便器にオゾンを含む洗浄水を供給するためのものである。公衆トイレ洗浄水供給システムは、洗浄水を蓄えるバッファ槽、オゾン水を生成するオゾン水発生装置、洗浄水中のオゾン濃度を測定するオゾン濃度計、バッファ槽内の洗浄水の液面を検知する液面計、バッファ槽に水を補給する水補給手段、および全体の動作を制御するコントローラを有する。
【０００８】
コントローラは、オゾン濃度計が検出する洗浄水のオゾン濃度および液面計が検出する洗浄水の液面に基づいて、洗浄水のオゾン濃度が設定オゾン濃度以上を維持するようにオゾン水発生装置の稼働、および水補給手段による水の補給を管理する。
コントローラは、オゾン濃度計が計測するオゾン濃度が予め設定された管理下限値以下になったらオゾン水発生装置を起動させ、オゾン濃度が予め設定された管理上限値以上になったらオゾン水発生装置を停止させるようにプログラムされる。
【０００９】
コントローラは、液面計が予め設定された液下限を検出したら水の補給を開始し、液面計が予め設定された液上限を検出したら水の補給を停止するように設定されている。コントローラが参照するオゾン濃度の管理下限値は、バッファ槽の液面が設定された液下限のときの洗浄水に設定された液上限まで補給水を加えたときに希釈された洗浄水のオゾン濃度が設定オゾン濃度以上となる値が採用される。
【発明の効果】
【００１０】
本発明によると、オゾンを一定濃度以上含む洗浄水を短時間に必要量供給可能な公衆トイレ洗浄水供給システムを提供することができる。
【図面の簡単な説明】
【００１１】
【図１】図１は公衆トイレ洗浄水供給システムの概要を示す図である。
【図２】図２は公衆トイレ洗浄水供給システムの洗浄動作を説明するフローダイヤグラムである。
【図３】図３は補給水量とオゾン水のオゾン濃度との関係を説明する図である。
【図４】図４は他の公衆トイレ洗浄水供給システムの概要を示す図である。
【図５】図５はオゾン水管理量および管理オゾン濃度の変更を説明する図である。
【図６】図６は公衆トイレ洗浄水供給システムの洗浄動作を説明するフローダイヤグラムである。
【発明を実施するための形態】
【００１２】
図１は公衆トイレ洗浄水供給システム１の概要を示す図である。
公衆トイレ洗浄水供給システム１は、公衆トイレ９において、使用者を検知したセンサにより小便器９１に供給されるオゾンを含む洗浄水、および人の操作等により大便器に供給されるオゾンを含む洗浄水を製造するためのものである。
公衆トイレ洗浄水供給システム１は、バッファ槽２、オゾン水発生装置３、循環ポンプ４、オゾン濃度計５およびコントローラ６等からなる。
【００１３】
バッファ槽２は、密閉容器であり、上部に内部を外気と連通させる連通管１１を有する。連通管１１の先端には、バッファ槽２の外部からバッファ槽２の内部へ空気等が流通するときに浮遊する塵等の除去に有効なフィルタ１２が取り付けられている。
バッファ槽２の側面には、液面の管理下限を検出する液下限検出計１３および管理上限を検出する液上限検出計１４が取り付けられている。液下限検出計１３および液上限検出計１４は、フロート式レベルスイッチである。フロート式レベルスイッチの出力は、コントローラ６に送られる。
【００１４】
バッファ槽２には、槽内に水を補給する給水管１５が、外部から管理下限の液面位置よりも下まで延びている。補給される水（補給水）には、水道水、別の貯槽に蓄えられた雨水等であって、ｐＨを高める物質、金属酸化物等のオゾンの分解を促進する物質を含まない水が使用される。給水管１５には、補給水の補給および停止を行う給水弁１６が、バッファ槽２の外部に設けられている。給水弁１６には電磁弁が使用され、この電磁弁はコントローラ６によって開閉される。
【００１５】
オゾン水発生装置３は、公衆トイレ９の規模（便器数）に応じて、数ｐｐｍ（例えば１．０〜３．０ｐｐｍ）の濃度のオゾン水を毎分数リットル〜数十リットル生成できる公知のものが使用される。
循環ポンプ４は、バッファ槽２内のオゾン水を、オゾン水発生装置３およびオゾン濃度計５を経由させてバッファ槽２に戻す機能を果たす。オゾン水は、管理下限の液面位置よりも下まで延びた配管によってバッファ槽２に戻される。循環ポンプ４には、例えば少吐出量で定量性が高いダイヤフラム型定量ポンプが使用される。公衆トイレ洗浄水供給システム１では、吐出圧（吐出量）の変動（脈動）を減少させるアキュムレータ１７が循環ポンプ４の吐出側に設けられている。
【００１６】
オゾン濃度計５は、インライン式（流通式）の公知のものが使用される。オゾン濃度計５に送られるオゾン水の流量を制限するために、オゾン濃度計５の上流側と下流側を直接に連結するバイパスが設けられている。
コントローラ６は、オゾン濃度計５が計測するオゾン水のオゾン濃度に基づいてオゾン水発生装置３の動作を制御し、液下限検出計１３および液上限検出計１４からの液面検出情報に基づいて給水弁１６を制御する。コントローラ６は、操作表示部および制御部からなる。
【００１７】
操作表示部は、公衆トイレ洗浄水供給システム１の起動、停止を行うための各スイッチ、およびオゾン濃度５計が計測したオゾン水のオゾン濃度を表示する７セグメントディス
プレイ等からなる。
制御部は、オゾン濃度計５等のアナログ出力をデジタル化するＡ／Ｄ変換、液下限検出計１３および液上限検出計１４からの液面検出情報の取得、給水弁１６等の電磁弁の開閉およびオゾン水発生装置の起動、停止のためのリレー出力等を行うインターフェース、インターフェースを経由して取得した情報に基づいて給水弁１６等を動作させるための演算処理を行うＣＰＵ、ＣＰＵの演算処理の手順等が記憶されたメモリ等で構成される。
【００１８】
公衆トイレ洗浄水供給システム１は、上記の他に、公衆トイレ９の小便器９１，…，９１等に繋がる配管内に長時間滞留したオゾン水を排出するための排出弁１８を備える。排出弁１８は、公衆トイレ９において洗浄水の配管が各小便器９１，…，９１等に分岐する直前で分岐する排出配管１９に取り付けられる。
図２は公衆トイレ洗浄水供給システム１の洗浄動作を説明するフローダイヤグラムである。図２に示される動作はコントローラ６内で行われ、またはコントローラ６からの指令により行われる。
【００１９】
公衆トイレ洗浄水供給システム１を稼働させるために操作表示部の起動ボタンが押下されると、コントローラ６は、液下限検出計１３からの出力によりバッファ槽２内の液面位置が管理下限以下か否か、つまりバッファ槽２内に水が所定量入っているか否かを判断する（Ｓ１０１）。そして、バッファ槽２内の水量が不足するときは、コントローラ６は給水弁１６を開いて補給水を補充する（Ｓ１０２）。バッファ槽２内の液面位置が管理下限よりも上であると判断すると、コントローラ６は、循環ポンプ４を起動させて、バッファ槽２内の水をオゾン濃度計５およびオゾン水発生装置３の順に循環させる。同時に排水弁１８を開くタイミングを管理する（ＣＰＵ内部タイマーに基づく）排水管理タイマーをリセットする（Ｓ１０３）。
【００２０】
コントローラ６は、オゾン濃度計５が計測した循環オゾン水のオゾン濃度（バッファ槽２内のオゾン濃度に略等しい）が管理下限Ｃmin以下（Ｓ１０４でＹＥＳ）と判断すると、オゾン水発生装置３を稼働させてオゾン水を発生させる（Ｓ１０５）。なお、公衆トイレ洗浄水供給システム１は、運転開始からしばらくはバッファ槽２内のオゾン水濃度が管理限界以下の状態が続き、小便器９１等が使用されるとそのような洗浄水がトイレ洗浄用に供給される。
【００２１】
コントローラ６は、バッファ槽２内の液面位置が管理上限以上と判断すると（Ｓ１０６でＹＥＳ）、給水弁１６を閉じる（Ｓ１０７）。また、コントローラ６は、オゾン水発生装置３の継続したオゾン水の供給によって循環オゾン水のオゾン濃度が管理上限Ｃmaxに達したと判断すると（Ｓ１０８でＹＥＳ）、オゾン水発生装置３を停止させる（Ｓ１０９）。
【００２２】
コントローラ６は、洗浄水の消費により低下する液面が管理下限位置以下になったとき、給水弁１６を開いて補給水を管理上限の液面位置まで追加する。また、コントローラ６は、オゾン水発生装置３が停止した後オゾンが経時により分解してオゾン水のオゾン濃度が管理下限Ｃmin以下になると、オゾン濃度が管理上限Ｃmax以上になるまでオゾン水発生装置３を稼働させる。公衆トイレ洗浄水供給システム１は、以上の動作を繰り返し行う。
【００２３】
コントローラ６は、また、排水管理タイマーの値（経過時間）が予め定めた時間を越えたか否かを判断し（Ｓ１１０）、越えたときには排出弁１８を所定時間開いて（Ｓ１１１）、バッファ槽２と公衆トイレ９の各便器への分岐直前までとを連結する配管内の洗浄水を、排出配管１９を経由させて排出する。この動作は、便器への配管内に長時間オゾン水が滞留したときにオゾン濃度が低下したこの配管内のオゾン水を入れ替え、便器洗浄用のオゾン水のオゾン濃度を特定の値以上に維持する目的で行われる。排水管理タイマーのリセットは、公衆トイレ洗浄水供給システム１の起動時（Ｓ１０３）を除き、便器への配管に設けられた流量計（フロースイッチ）が洗浄水の流れを検出したときに行われる（Ｓ１１２）。
【００２４】
公衆トイレ洗浄水供給システム１は、操作表示部の停止ボタンが押下されると（Ｓ１１３でＹＥＳ）、オゾン水発生装置３、循環ポンプ４およびオゾン濃度計５の動作を停止させる。また、公衆トイレ洗浄水供給システム１は、循環ポンプ４の吐出側に設けられた圧
力計２１からの圧力が低下したとき、およびオゾン水のオゾン濃度が長時間上昇しないときにアラームを発して停止する。
【００２５】
公衆トイレ洗浄水供給システム１において、バッファ槽２における液下限検出計１３が管理する液面位置の下限および液上限検出計１４が管理する液面位置の上限は次の様に設定される。
液面位置が下限のときのバッファ槽２内のオゾン水の質量をＷｄ、液面位置を下限から上限まで上昇させるために必要な補給水の質量をＷｕとする。オゾン水の質量および補給水の質量の値はこれらの体積の値に略等しい。
【００２６】
洗浄水としてのオゾン水の設計オゾン濃度をＣｔとする。設計オゾン濃度Ｃｔは、コントローラが管理するオゾン濃度の管理下限Ｃminよりも小さく、便器に送られるオゾン水として許容できるオゾン濃度の最小値である。設計オゾン濃度Ｃｔは、例えば０．５〜１ｐｐｍの範囲で任意に選択される。
オゾン濃度の管理上限Ｃmaxは、オゾン濃度の管理下限Ｃminよりも大きな任意の値が設定される。オゾンは数分の半減期で分解し、単位時間当たりのオゾンの分解量はオゾン濃度が高いほど大きい。オゾン濃度の管理上限Ｃmaxは、オゾン水のオゾン濃度を適切に抑制して単位時間のオゾンの分解量を減少させることにより、オゾン水発生装置３への負荷を低下（稼働時間を短縮）させるために設定される。
【００２７】
公衆トイレ洗浄水供給システム１では、補給水の（単位時間当たりの）補給が給水弁１６を全開にして行われ、（単位時間当たりの）補給量は、オゾン水発生装置３を経由する高濃度オゾン水の循環量（例えば、数リットル／分）が無視できる程度に大きい。
これらの事情を考慮すると、設計オゾン濃度Ｃｔおよびオゾン濃度の管理下限Ｃminから決定されるバッファ槽２における液下限検出計１３および液上限検出計１４の位置は、
（Ｗｄ×Ｃmin）÷（Ｗｄ＋Ｗｕ）≧Ｃｔ                  ・・・（１）
を満たし、液上限検出計１４は、液下限検出計１３の位置に対して、
Ｗｕ≦｛（Ｃmin−Ｃｔ）÷Ｃｔ｝×Ｗｄ                ・・・（２）
となる位置に設けられる（図３）。
【００２８】
（２）式は、例えば設計オゾン濃度Ｃｔが０．５ｐｐｍ、オゾン濃度の管理下限Ｃminが０．７ｐｐｍの場合には、液下限検出計１３が検出する液面位置から下のバッファ槽２の容積（≒Ｗｄ）に対して、略Ｗｄ×０．４の容積（≒Ｗｕ）が増加する位置以下に液上限検出計１４を設けることを示す。
なお、オゾン水の量の表現において「質量」および「体積」のいずれも使用するが、オゾン水の比重を１としてこれらの値に差がないものとする。
【００２９】
バッファ槽２は、連結される公衆トイレの規模により異なるが、液下限検出計１３が検出する液面位置から液上限検出計１４が検出する液面位置までの容積（≒Ｗｕ）が、公衆トイレにおける想定される便器同時使用における最大洗浄水量（体積）を越え、かつ（２）式を満たすものとするのが好ましい。
公衆トイレ洗浄水供給システム１は、洗浄水の設計オゾン濃度Ｃｔとは別にバッファ槽２内のオゾン水のオゾン濃度に管理下限Ｃminを設定し、かつバッファ槽２のオゾン水の液面（液量）を所定の範囲に管理することにより、オゾンを一定濃度以上含む洗浄水を、併設される公衆トイレの便器に常時供給することができる。
【００３０】
公衆トイレ洗浄水供給システム１は、オゾン水のオゾン濃度が管理下限Ｃmin以下になるとオゾンの生成を開始し、バッファ槽２内の液面が管理下限から短時間で管理上限にまで給水されたときにも、設計オゾン濃度Ｃｔが維持される。このことにより、公衆トイレ洗浄水供給システム１は、オゾンを一定濃度以上含む洗浄水を短時間に多量に便器等に供給することができる。
【００３１】
バッファ槽２に設ける液面計として、液面の変化を検出可能なもの、例えばマグネットフロート式の液面計を使用することができる。
図４は他の公衆トイレ洗浄水供給システム１Ｂの概要を示す図である。公衆トイレ洗浄水供給システム１Ｂは、液下限検出計１３および液上限検出計１４の代わりにバッファ槽２内の液面を連続的に計測できる液面計２２Ｂを備え、これにより流量計２０を省いた点
を除き、公衆トイレ洗浄水供給システム１と同じ構成である。公衆トイレ洗浄水供給システム１Ｂにおいて公衆トイレ洗浄水供給システム１と同じものについてはその説明を省略し、図４において公衆トイレ洗浄水供給システム１と同じ符合を付す。
【００３２】
公衆トイレ洗浄水供給システム１Ｂにおいても、コントローラ６は、公衆トイレ洗浄水供給システム１のコントローラ６と同様のオゾン水のオゾン濃度管理を行う。
ところで、オゾンは、一定の環境下では、オゾンの濃度が元の濃度の半分となるまでの時間が常に同じであるという性質（半減期Ｔ）を有する。この関係は、オゾン水におけるオゾンにも当てはまり、オゾン濃度と経過時間との関係は、次の（３）式で表される。
Ｃ＝Ｃｉ×（１／２）t/T                                ・・・  （３）
（３）式におけるｔは経過時間、Ｃｉは時間ｔ経過前のオゾン濃度、Ｃは時間ｔ経過後のオゾン濃度である。
【００３３】
（３）式から微小時間Δｔ経過後のオゾン濃度の変化量ΔＣは、Ｃをｔの函数とすると、
（Ｃ＋ΔＣ）−Ｃ＝ｆ（ｔ＋Δｔ）−ｆ（ｔ）
ΔＣ＝ｆ（ｔ＋Δｔ）−ｆ（ｔ）            ・・・  （４）
（４）式を整理すると、
ΔＣ＝Ｃｉ×（１／２）t/T×｛（１／２）Δt/T−１｝    ・・・  （５）
（５）式から、微小時間Δｔにおけるオゾンの濃度変化量ΔＣ（ΔＣ／Δｔ＝オゾン分解速度）はオゾン濃度Ｃｉに比例する。つまり、オゾンの単位時間当たりの分解量（単位質量当たりの分解質量）は、オゾン濃度Ｃｉが低い方が少ない。
【００３４】
バッファ槽２内で分解して無駄となるオゾンを減少させ、オゾン水発生装置３が発生させるオゾンの総量を低くする（オゾン水発生装置３の負荷を軽減させる）には、バッファ槽２内のオゾン水のオゾン濃度を低く維持し、かつ蓄えるオゾン水の量を少なくするのが効果的である。
公衆トイレは、１日の時間によってその利用が多い時間帯、利用が少ない時間帯が存在する。また、公衆トイレ９は、設置される場所、対象とする利用者によって、利用者の多い時間帯が異なる。例えば、鉄道の駅に設けられた公衆トイレでは、朝夕の通勤時間帯に利用者が増加する。公衆トイレ洗浄水供給システム１Ｂは、１日の時間帯による利用者の増減に合わせて、バッファ槽２内のオゾン水の管理量および管理オゾン濃度を変化させ、特に利用者が減少する時間帯のオゾン水発生装置３の不要な稼働を制限する工夫が取り入れられている。
【００３５】
図５はオゾン水管理量および管理オゾン濃度の変更を説明する図、図６は公衆トイレ洗浄水供給システム１Ｂの洗浄動作を説明するフローダイヤグラムである。
公衆トイレ洗浄水供給システム１Ｂは、バッファ槽２の液面の管理上限位置を、１日の時間帯による便器の利用頻度の多少に応じて複数から選択可能である。例えば、鉄道の駅の公衆トイレでは、通勤時間帯を除く昼間は、標準の液面管理上限Ｌmax1が選択される（図５（ａ））。このときの、液面管理下限Ｌmin位置から液面管理上限Ｌmax1位置まで短時間に補給水を補充したときにもオゾン水のオゾン濃度を設計オゾン濃度Ｃｔ以上に維持できるオゾン濃度管理下限Ｃmin1は、液面管理下限Ｌminにおけるオゾン水の質量Ｗｄから（６）式により決定される。（６）式におけるＷｕは、補充される補給水の質量である（図３（ｂ）参照）。
Ｃmin1＝（１＋Ｗｕ／Ｗｄ）×Ｃｔ                      ・・・（６）
【００３６】
公衆トイレ洗浄水供給システム１Ｂでは、公衆トイレの使用者が多い時間帯は、短時間に多量の洗浄水を供給可能とするために、バッファ槽２内により多くのオゾン水を蓄える、標準の液面管理上限Ｌmax1よりも高い位置の液面管理上限Ｌmax2が選択される（図５（ｂ））。また、早朝または深夜等の公衆トイレの使用者が少ない時間帯は、標準の液面管理上限Ｌmax1よりも低い位置の液面管理上限Ｌmax3が選択される（図５（ｃ））。これらにおけるオゾン濃度管理下限Ｃmin2，Ｃmin3は、オゾン濃度管理下限Ｃmin1と同様にして決定される。
【００３７】
図５に示されるように、液面管理上限の位置が低いほどオゾン濃度管理下限の値を小さ
くすることができる。液面管理上限の位置を低くするとバッファ槽２内に蓄えるオゾン水の質量が小さくなり、単位時間当たりに分解するオゾンの絶対量が減少する。また、オゾン濃度管理下限の値を小さくする、つまりバッファ槽２内のオゾン水の時間平均オゾン濃度を低くすることにより、オゾンの分解速度が低下して分解するオゾンの絶対量を減少させることができる。
【００３８】
オゾン水発生装置３は、便器等に供給するオゾンを発生させるとともに、自然分解して減少したオゾンを補充するために稼働される。したがって、公衆トイレ洗浄水供給システム１Ｂは、液面管理上限の位置を公衆トイレの使用頻度に応じて変化させることにより、１日当たりの分解するオゾン量を減少させ、オゾン水発生装置３の稼働時間を減少させることができる。
【００３９】
次に公衆トイレ洗浄水供給システム１Ｂの洗浄動作例を説明する。
コントローラ６は、メモリに保存された、時間帯、液面管理上限Ｌmax位置およびオゾン濃度管理下限Ｃminの組み合わせから、内部タイマーが管理する時刻（実時間）が属する時間帯を判断し、判断した時間帯に対応する液面管理上限Ｌmax位置等の組み合わせを選択する（Ｓ２０１）。
【００４０】
続いて、コントローラ６はバッファ槽２内のイオン水の初期状態をチェックし（Ｓ２０２）、動作を要する機器を稼働させる（Ｓ２０３、Ｓ２０４）。コントローラ６は定常的に時刻を取得し、時刻に応じて液面管理上限Ｌmax位置およびオゾン濃度管理下限Ｃminを予定された値に変更する（Ｓ２０５、Ｓ２０６）。
液面管理上限Ｌmax位置およびオゾン濃度管理下限Ｃminの変更は、液面管理上限Ｌmax位置を低くする場合には、予め記憶された液面管理上限Ｌmax位置およびオゾン濃度管理下限Ｃminが採用される。
【００４１】
液面管理上限Ｌmax位置を高くする場合には、コントローラは、最初の水の補給については、取得したオゾン水の測定オゾン濃度に基づいて、バッファ槽２内のオゾン濃度が設計オゾン濃度Ｃｔになる暫定的な液面位置を算出し、給水弁１６を開いて液面計２２Ｂの計測液面を監視しながら算出した液面位置まで補給水を追加する（Ｓ２０６、Ｓ２０７、Ｓ２０８）。２回目以降の水の補給は、予め記憶されたその時間帯における液面管理上限Ｌmax位置まで水が補給される。
【００４２】
上記以外の、公衆トイレ洗浄水供給システム１Ｂにおいてコントローラ６が行う、液面管理下限Ｌmin、決定された液面管理上限Ｌmax、オゾン濃度管理下限Ｃminに基づく液面管理およびオゾン水の濃度管理は、公衆トイレ洗浄水供給システム１においてコントローラ６が行う動作と同じである。
なお、公衆トイレ洗浄水供給システム１Ｂでは、コントローラ６が指示しない液面低下を観測したとき、排水管理タイマーをリセットする。コントローラ６が指示しない液面低下は、便器等に洗浄水（オゾン水）を供給したときのほかに、排水管理タイマーが設定時間を越え、排水弁１８から供給配管内の洗浄水が排出された場合が含まれる。
【００４３】
公衆トイレ洗浄水供給システム１Ｂは、さらに多くの時間帯、液面管理上限Ｌmax位置およびオゾン濃度管理下限Ｃminの各組み合わせをコントローラ６に記憶させることができる。また、公衆トイレ洗浄水供給システム１Ｂは、例えば公衆トイレの周りの環境の変化により使用頻度の傾向等が変化したときには、時間帯、液面管理上限Ｌmax位置およびオゾン濃度管理下限Ｃminのいずれも自由に変更し、最良の条件で稼働させることができる。
【００４４】
上述の実施形態において、オゾン水の循環路をオゾン濃度計５とオゾン水生成装置３とで別々のものまたは途中で分岐したものとしてもよい。オゾン濃度計に、直接にバッファ槽２内のオゾン水のオゾン濃度が計測可能なものを採用してもよい。
オゾン水発生装置３に換えてオゾンガス発生装置とオゾン溶解装置との組み合わせを使用してもよい。
【００４５】
その他、公衆トイレ洗浄水供給システム１，１Ｂ、および公衆トイレ洗浄水供給システム１，１Ｂの各構成または全体の構造、形状、寸法、個数、材質などは、本発明の趣旨に沿って適宜変更することができる。
【産業上の利用可能性】
【００４６】
本発明は、大規模商業施設、公共施設、スポーツ施設、公園、学校等における複数の便器が同時に使用される公衆トイレに利用することができる。
【符号の説明】
【００４７】
１，１Ｂ  公衆トイレ洗浄水供給システム
２  バッファ槽
３  オゾン水発生装置
５  オゾン濃度計
６  コントローラ
９  公衆トイレ
１３  液下限検出計（液面計）
１４  液上限検出計（液面計）
１５  給水管（水補給手段）
１６  給水弁（水補給手段）
２２Ｂ  液面計
Ｃmin，Ｃmin1，Ｃmin2，Ｃmin3  オゾン濃度の管理下限（管理下限値）
Ｃmax   オゾン濃度の管理上限（管理上限値）
Ｃｔ  設計オゾン濃度
Ｌmax，Ｌmax1，Ｌmax2，Ｌmax3  液面管理上限（液上限）
Ｌmin  液面管理下限（液下限）
【図１】
0005952647.tif 000002
【図２】
0005952647.tif 000003
【図３】
0005952647.tif 000004
【図４】
0005952647.tif 000005
【図６】
0005952647.tif 000006
【図５】
0005952647.tif 000007